(57)【要約】脈管フィルタ（２）は、フィラメント（６）を有する。フィラメント（６）は、フィルタ部品（４）を拡張させる。フィルタフィラメント（６）はコイル（２０）であり、伸張すると直径が減少して、脈管フィルタ（２）の導入に備える。フィルタ部品（４）は、好適には、バイアスがかけれられると閉位置に向かって移動し、コイル（２０）にかかる張力が解放されると、コイル（２０）によって開口される。フィラメント（６）は、フィルタ部品（６）の内面（１９）に沿ってスライドし、これにより、フィルタ部品（６）は中間位置をとることができる。【選択図】図６
2004515255.tif 000002
【特許請求の範囲】
【請求項１】
身体構造を通過する流体フローをフィルタリングするフィルタリング部品であって、
収縮位置から拡張位置に移動することが可能であり、内面を有するフィルタ部品と、
収縮位置から拡張位置に移動することが可能であって、該拡張位置に移動する際、該フィルタ部品の内面に向かってスライドする拡張可能部品と、
を備える、フィルタリング部品。
【請求項２】
前記拡張可能部品はフィラメントである、請求項１に記載のフィルタリングデバイス。
【請求項３】
前記フィラメントが前記収縮位置に来ると、該フィラメントには張力がかかる、請求項２に記載のフィルタリングデバイス。
【請求項４】
前記フィラメントが前記収縮位置から前記拡張位置にすると、該フィラメントにかかる張力は低減する、請求項３に記載のフィルタリングデバイス。
【請求項５】
前記フィラメントは前記拡張位置においてコイルを形成する、請求項２に記載のフィルタリングデバイス。
【請求項６】
前記フィラメントは、前記拡張位置において様々な直径を有する、請求項２に記載のフィルタリングデバイス。
【請求項７】
前記フィルタ部品は、コア部品に取り付けられ、前記収縮位置に来ると該コア部品の一部分の周囲に延びる、請求項１に記載のフィルタリングデバイス。
【請求項８】
前記拡張可能部品はループを有し、該ループは、前記コア部品の周囲に延びて、これにより該拡張可能部品を前記フィルタ部品に対して縦方向にスライドさせることを可能にする、請求項１に記載のフィルタリングデバイス。
【請求項９】
前記フィラメントは前記コア部品に取り付けられ、
前記フィルタ部品は、該コア部品の周囲に延びており、該コア部品の周囲の収縮位置に向かってバイアスがかけられる近位端を有する、請求項８に記載のフィルタリングデバイス。
【請求項１０】
前記フィルタ部品の近位端は、該フィルタ部品の近位端の周囲の拡張可能リングによって前記収縮位置に向かって移動するようにバイアスがかけられる、請求項１に記載のフィルタリング部品。
【請求項１１】
前記フィルタ部品は、前記拡張位置に来ると内部に開口部が設けられるエラストマー膜である、請求項１に記載のフィルタリング部品。
【請求項１２】
前記フィルタ部品はメッシュ状の構造である、請求項１に記載のフィルタリング部品。
【請求項１３】
前記コイルが前記収縮位置に来たとき、該コイルの直径は０．０８０インチ未満である、請求項１に記載のフィルタリング部品。
【請求項１４】
身体構造を通過する流体フローをフィルタリングするフィルタリング部品であって、
収縮位置から拡張位置に移動することが可能であり、該収縮位置に向かってバイアスがかけられるフィルタ部品と、
収縮位置から拡張位置に移動することが可能であって、該拡張位置まで拡張すると、該フィルタ部品を係合させ、該フィルタ部品を該拡張位置まで拡張させるフィラメントと、
を備える、フィルタリング部品。
【請求項１５】
前記フィラメントは、前記収縮位置から前記拡張位置に移動する際、前記フィルタ部品の内面に沿ってスライドする、
請求項１４に記載のフィルタリングデバイス。
【請求項１６】
前記フィラメントは、前記拡張位置に来ると直径が変化するコイルである、請求項１４に記載のフィルタリングデバイス。
【請求項１７】
前記拡張可能部品は、前記拡張位置において１〜８本のループを形成する、請求項１４に記載のフィルタリングデバイス。
【請求項１８】
前記フィルタ部品は、コア部品に取り付けられ、前記収縮位置に来ると、該コア部品の一部分の周囲に延び、
前記フィラメントは該コア部品に取り付けられる、請求項１４に記載のフィルタリングデバイス。
【請求項１９】
前記拡張可能部品が前記収縮位置から前記拡張位置に移動すると、前記コア部品およびフィラメントは互いに縦方向に移動する、請求項１４に記載のフィルタリング部品。
【請求項２０】
前記フィルタ部品の少なくとも一部は、前記収縮位置に向かってバイアスがかけられている、請求項１４に記載のフィルタリング部品。
【請求項２１】
前記フィルタ部品の近位部は、前記収縮位置に向かってバイアスがかけられている、請求項２０に記載のフィルタリング部品。
【請求項２２】
前記フィルタ部品の近位部は、該フィルタ部品の近位部周囲に設けられた弾性リングによって、前記収縮位置に向かってバイアスがかけられている、請求項１４に記載のフィルタリング部品。
【請求項２３】
前記フィルタ部品は、前記拡張位置に来ると内部に開口部が設けられるエラストマー膜である、請求項１４に記載のフィルタリング部品。
【請求項２４】
記フィルタ部品はメッシュ状の構造である、請求項１４に記載のフィルタリング部品。
【請求項２５】
前記拡張可能部品は、前記拡張位置に来ると１〜８本のループを形成する、請求項１４に記載のフィルタリング部品。
【請求項２６】
前記コイルは、前記収縮位置に来ると直径が０．０８０インチ未満になる、請求項１４に記載のフィルタリング部品。
【請求項２７】
身体構造を通過する流体フローをフィルタリングするデバイスであって、
収縮位置から拡張位置に移動することが可能であって、前記収縮位置に向かってバイアスがかけられているフィルタ部品と、
該フィルタ部品に動作可能に結合されており、拡張形状および収縮形状を有するとともに、収縮位置から拡張位置に移動することが可能であって、該拡張位置に拡張する際、該フィルタ部品の内面に沿ってスライドするコイルと、
を備える、デバイス。
【請求項２８】
前記コイルは、該コイルの近位端から遠位端にいたる全位置において、前記フィルタ部品の内面に向かって自由にスライドすることが可能である、請求項２７に記載のフィルタリングデバイス。
【請求項２９】
前記コイルは、前記拡張位置に来ると、直径が遠位方向において減少する、請求項２８に記載のフィルタリングデバイス。
【請求項３０】
前記フィルタ部品は、前記コイルによって前記拡張位置に向かって移動する、請求項２７に記載のフィルタリングデバイス。
【請求項３１】
前記フィルタ部品は、コア部品に取り付けられ、前記収縮位置に来ると、該コア部品の一部分の周囲に延び、
前記拡張可能部品は該コア部品に取り付けられる、請求項２７に記載のフィルタリングデバイス。
【請求項３２】
前記コイルが前記収縮位置から前記拡張位置に移動すると、前記コアおよび該コイルは、縦方向に独立して拡張する、請求項２７に記載のフィルタリング部品。
【請求項３３】
前記フィルタ部品の少なくとも一部は、前記収縮位置に向かってバイアスがかけられている、請求項２７に記載のフィルタリング部品。
【請求項３４】
前記フィルタ部品の近位部は、前記収縮位置に向かってバイアスがかけられている、請求項３３に記載のフィルタリング部品。
【請求項３５】
前記フィルタ部品の近位部は、該フィルタ部品の近位端周囲のリングによって、前記収縮位置に向かってバイアスがかけられている、請求項２７に記載のフィルタリング部品。
【請求項３６】
前記フィルタ部品は、前記拡張位置に来たときに内部に開口が設けられるエラストマー膜である、請求項２７に記載のフィルタリング部品。
【請求項３７】
前記フィルタ部品はメッシュ状の構造である、請求項２７に記載のフィルタリング部品。
【請求項３８】
脈管を通過する血流をフィルタリングする方法であって、
フィルタ部品および拡張可能部品を有するとともに、内面を有し、該フィルタ部品は、拡張位置に来たとき、内部の血流を通過させつつ塞栓物質をフィルタリングするように構成されたフィルタデバイスを提供する工程と、
該フィルタデバイスを患者の血管に導入する工程と、
該フィルタデバイスを所望の位置にまで前進させる工程と、
該前進工程の後に、該フィルタ部品の内面に沿ってスライドする該拡張可能部品を拡張させる工程と、
を包含する方法。
【請求項３９】
前記フィルタデバイスを提供する工程は、前記拡張可能部品が、前記フィルタ部品の近位端から遠位端の全位置において該フィルタ部品に対して自由に移動することが可能な状態で実施される、請求項３８に記載の方法。
【請求項４０】
前記フィルタデバイスを提供する工程は、前記フィルタ部品の近位端から遠位端の全位置において前記拡張可能部品が該フィルタ部品に取り付けられていない状態で行われる、請求項３８に記載の方法。
【請求項４１】
前記拡張する工程は、前記拡張可能部材にかかる張力を解放することによって実施される、請求項３８に記載の方法。
【請求項４２】
前記拡張可能部材を圧縮して、前記拡張可能部品をさらに拡張させる工程、をさらに包含する、請求項３９に記載の方法。
【請求項４３】
前記フィルタデバイスを提供する工程は、前記収縮位置にある外装内に拡張可能部品が収容された状態で行われる、請求項３９に記載の方法。
【請求項４４】
前記フィルタデバイスを提供する工程は、前記フィルタ部品が前記収縮位置に来たときに前記外装の周囲に近位端が配置された状態で実施される、請求項４３に記載の方法。
【発明の詳細な説明】
【０００１】
（発明の背景）
本発明は、身体構造を通る流体フローをフィルタリングする方法およびデバイスに関する。このようなデバイスは、脈管系などの様々な身体部分において不要物質をフィルタリング除去する際に用いられる。
【０００２】
フィルタは、血管を閉塞させ得るプラーク（例えば、血管内壁からはがれたかたまり）および他の物質を脈管系から除去する際に用いられる。脈管フィルタリングデバイスは、このような血管形成術、拡張術（血管を拡張して固定するステントを配する技術：ｓｔｅｎｔｉｎｇ）、動脈内膜切除術またはじゅく腫切除術などの他の手法の際にも用いることができる。このような治療的手法には、脈管壁部から離れたプラークが破損する危険が伴う。フィルタが用いられるのは、このような治療的手法において除去されるプルークおよび他の物質が下流に移動して、血流を閉塞または制限し得る事態を防ぐためである。
【０００３】
ＷＯ９８／３３４４３（公開日：１９９８年８月６日、発明者：Ｊａｙ  Ｙａｄａｖ。本明細書中、同文献を参考のため援用する）に、フィルタリングデバイスについての開示がある。同公開出願の図９において開示されているフィルタの１つに、フィルタに１本の螺旋状のワイヤを取り付けることで当該フィルタを拡張したものが図示されている。この螺旋ワイヤには、１本のファイバが取り付けられており、このファイバに張力を与えて、螺旋ワイヤを収縮させる。ファイバ上の張力が解放されると、ワイヤと取り付けられたフィルタとが拡張する。
【０００４】
本発明は、患者の体内の流体フローのフィルタリングおよび特に血流のフィルタリングを行うための向上された方法およびデバイスに関する。
【０００５】
（発明の要旨）
本発明のフィルタデバイスは、フィルタ部品と、上記フィルタ部品を拡張させる拡張可能部品とを有する。上記フィルタ部品は、好適には、上記収縮位置に向かってバイアスされ、上記拡張可能部品は、好適には、上記収縮位置に向かってバイアスされる。上記拡張可能部品に張力が与えられると、上記拡張可能部品は、上記拡張可能部品を上記収縮形状に保持する。張力が解放されると、上記拡張可能部品は、上記フィルタ部品を拡張させる。好適には、上記フィルタ部品の近位端が上記収縮位置に向かってバイアスされ、これにより、上記フィルタ部品中に溜まっている物質は、上記フィルタデバイスが収縮および除去されたときに上記フィルタ部品から逃れることができなくなる。
【０００６】
上記拡張可能部品は、好適には、上記フィルタ部品の内面に対してスライドして、上記フィルタ部品を拡張させる。上記フィルタ部品と上記拡張可能部品との間のスライド係合により、上記フィルタ部品は様々な中間サイズに拡張し、様々なサイズの脈管をフィルタリングする。また、上記フィルタ部品と上記拡張可能部品との間のスライド係合により、上記フィルタ部品および上記拡張可能部品は、互いに独立した様式で延長、変形、および回転する。このような動きは、上述したＷＯ９８／３３４４３フィルタデバイスには不可能である。
【０００７】
上記拡張可能部品は、好適には、３つ未満のフィラメントで形成され、好適には、１個のフィラメントのみで形成される。上記フィラメントは、有利なことに、０．０４０インチ未満の直径まで収縮可能であり、これにより、上記フィルタデバイスは、細くて湾曲部の多い脈管にアクセスすることができる。上記フィラメントは、好適には、円錐形状を形成するように近位部で直径が増大するコイルを上記拡張位置に形成する。
【０００８】
上記フィルタ部品は、任意の適切な物質、例えば、エラストマー膜またはメッシュ状の構造でよい。上記フィルタ部品は、コア部品に取り付けられ、上記コア部品および上記拡張可能部品の周囲で収縮する。上記拡張可能部品は、好適には、上記コア部品にスライド可能に結合され、その際、ループ構成、連結接続構成または同軸構成を提供する。
【０００９】
本発明の上記および他の特徴および利点は、以下の好適な実施形態の説明、図面および本明細書中の特許請求の範囲から明らかとなる。
【００１０】
（特定の実施形態の説明）
図１および図２には、身体中の通路（例えば、血管）を通過する流体フローをフィルタリングするフィルタデバイス２が図示されている。このフィルタデバイス２は、身体構造を通過するフローをフィルタリングするフィルタ部品４と、このフィルタ部品４を図１の収縮位置から図２の拡張位置に移動させる拡張可能部品６とを有する。フィルタデバイス２は、収縮位置において身体通路中を前進し、所望の位置において拡張して、身体通路を通る流体フローをフィルタリングする。フィルタ部品４および拡張可能部品６は、どちらとも、コア部品８に取り付けられる。コア部品８を押すことにより、デバイス２を解剖学的位置を通過してまたは解剖学的位置中に前進させる。
【００１１】
フィルタ部品４は、好適には、収縮位置に向かってバイアスがかけられ、拡張可能部品６は、好適には、拡張位置に向かってバイアスがかけられる。拡張可能部品６を収縮位置に保持するには、拡張可能部品６に張力を与えて、拡張可能部品６を図１の位置まで収縮させる。拡張可能部品６は、好適には、収縮位置においてコア部品８を中心にして被覆され、これにより、拡張可能部品６が拡張したときに拡張可能部品６およびコア部品８が互いに著しく回転しないようにする。フィルタ部品２が展開可能状態になると、拡張可能部品６上にかけられている張力が解放され、これにより、拡張可能部品６が拡張する。拡張可能部品６をさらに前進させて圧縮力を拡張可能部品６にかけ、これにより拡張可能部品６をさらに拡張させてもよい。
【００１２】
フィルタ部品４に弾性を与えることにより、フィルタ部品４に収縮位置に移動させるバイアスをかけることができる。フィルタ部品４の近位端１８の周囲には、リング１７も設けることができ、これにより、フィルタ部品４を収縮位置に保持し、フィルタデバイス２を取り外す際、フィルタ部品４中に溜まっている任意の物質の周囲においてフィルタ部品４を確実に閉鎖状態にすることができる。リング１７は、単にフィルタ部品４の厚い部分であってもよく、また、フィルタ部品４上に追加された層であってもよい。さらには、フィルタ部品４に結合されるかもしくはフィルタ部品４に織り込まれた別個のリングであってもよい。
【００１３】
フィルタ部品４は、任意の適切な材料、例えば、膜１２またはメッシュ状の構造１４（図５および図６）であり得る。膜１２は、浸透性の物質で構成されてもよく、または、浸透性を得るための孔１５が内部に設けられた非浸透性の物質で構成されてもよい。フィルタ部品４は、例えば、ＣＴ  Ｂｉｏｍａｔｅｒｉａｌｓにより販売されている改良型の熱可塑性イソプレンであるＣＨＲＯＮＯＰＲＥＮＥであってもよく、または、内部に孔１５が設けられたシリコン膜であってもよい。フィルタ部品の外径は、好適には、０．０２５〜０．０８０インチであり、より好適には、０．０２５〜０．０３８インチである。フィルタ部品４の近位端は、好適には、６〜１２ｍｍのサイズの開口部を有する。
【００１４】
フィルタ部品４は、浸透性の構造を形成し、流体フローから不要な物質をフィルタリングする。孔１５のサイズは、不要な物質を除去し、かつ、身体構造中に流体フローを流すことが可能なするようなサイズに選択される。フィルタ部品４は、例えば、血管内に治療的手法を施す間にプラークおよび他の塞栓を除去する際に用いることができる。フィルタ部品４を用いると、治療的手法の間に除去されるプラークが下流に移動して、血流を閉塞または制限し得る事態が防がれる。
【００１５】
拡張可能部品６は、好適には、円錐形状を形成するように近位部に直径が増大するコイル２０を形成する。拡張可能部品６は、好適には、拡張位置に来ると、少なくとも１〜８本のループを形成し、より好適には、２〜６本のループを形成し、最も好適には、約４本のループを形成する。拡張可能部品６は、拡張位置に来ると、任意の他の形状（例えば、球形、ダンベルまたは任意の他のジオメトリ）もとり得る。図８を参照して、拡張可能部品６は、互いに緊密に配置されたコイル２０を有し得る。
【００１６】
拡張可能部品６は、好適には、超弾性物質（例えば、ニチノール）で構成可能であるが、他の任意の適切な物質で構成されてもよい。拡張可能部品６の厚さは好適には、０．００５〜０．０１５インチである。拡張可能部品６は、十分な放射線不透過性を提供するか、または、拡張可能部品上に放射線不透過物質をコーティング、めっきもしくはスパッタリングしてもよい。拡張可能部品６は、中空のコアも有し得る。この中空コアは、放射線不透過物質（例えば、金またはプラチナ）で充填される。拡張可能部品６は、任意の断面形状（例えば、円形のワイヤまたは矩形のリボン）を有し得る。拡張可能部品６は、また形状メモリ特性を用いることもでき、その場合、拡張可能部品６は、加熱されると拡張形状をとる。
【００１７】
拡張可能部品６は、好適には１本のフィラメント１６であるが、２本または３本のフィラメントであってもよく、その場合、２本または３本のフィラメントは協働してフィルタ部品４を開口させる。フィラメント１６を限られた数（好適には１本のみ）だけ用いることによって得られる利点は、拡張可能部品６の収縮量をごく少量に留めることが可能になる点である。詳細には、拡張可能部品６が収縮位置に来て湾曲部の多い脈管（例えば、脳脈管構造）にアクセスする際の拡張可能部品６の直径は、好適には、０．０４０インチ未満であり、より好適には、０．０２０インチ未満であり、最も好適には、０．０１５インチ未満である。もちろん、拡張可能部品６は特定の用途に応じて他の任意のサイズをとることもできる。拡張可能部品６の遠位端は、任意の適切な方法（例えば、半田付け結合、溶接結合、ろう付け結合または接着結合）によってコア部品８に取り付けられる。
【００１８】
上述したように、フィルタ部品４および拡張可能部品６はどちらともコア部品８に取り付けられ、これにより、拡張可能部品６をフィルタ部品４に対して自由に変位させることができる。従って、フィルタ部品４を拡張させると、拡張可能部品６は、フィルタ部品４の内面１９に沿ってスライドする。拡張可能部品６とフィルタ部品４との間での自由に移動が可能になることによって得られる利点は、拡張可能部品６およびフィルタ部品４を必要なだけ拡張させて、通路の壁部と係合させることができる点である。このようにして、様々なサイズの脈管を通るフローにフィルタリングを施す際に、フィルタに様々な中間的サイズをとらせることが可能となる。拡張可能部品６とフィルタ部品４との間での自由移動が可能になることによって得られる別の利点は、フィルタ部品４および拡張可能部品６を個別に変形、延長および／または解放させることが可能である点である。本発明の範囲から逸脱することなく、１つ以上の位置においてフィルタ部品４を拡張可能部品６に結合させることが可能であるが、拡張可能部品６は、好適には、フィルタ部品４に取り付けられない。具体的には、拡張可能部品６は、好適には自由に移動でき、フィルタ部品４の近位端から遠位端の任意の位置においては、フィルタ部品６に取り付けられない。拡張可能部品６は、ループ２１を有する。このループ２１は、コア部品８の周囲に延びており、これにより、拡張可能部品６はコア部品８にスライド可能に結合する。拡張可能部品６を他の任意の様式（例えば、連結構成または同軸構成）でコア部品８に結合してもよい。
【００１９】
コア部品８は、任意の適切な物質で構成され得、好適にはステンレススチールまたはニチノールで構成され得る。コア部品８には、好適には遠位方向にテーパーが設けられ、遠位部２５におけるその直径は、約０．０２６インチ未満であり、より好適には０．０１４インチ未満であり、最も好適には約０．００８〜０．０１２インチである。コア部品８には好適には近位方向にテーパーが設けられ、近位端におけるその直径は約０．０３５インチである。コア部品８は、コラム強度および押圧可能性を提供し、これにより、フィルタデバイス２を所望の位置に前進させることが可能となる。フィルタデバイス２を脈管系中にて用いる場合、フィルタデバイス２をミクロカテーテル、バルーンカテーテル（図示せず）などの中で前進させることができる。コア部品８の遠位端には、プラチナ製またはステンレススチール製のコイル２０を設けることができ、これにより、柔軟でかつ非外傷性の先端部を提供し、螢光透視法による視認性を提供することができる。コイル２０は、好適には、直径０．００２〜０．０１０インチのワイヤであり、好適には２〜２０ｃｍだけ伸張する。コイル２０は、直径が０．０１８〜０．０３８インチとなるように巻き付けられる。
【００２０】
図７を参照して、バルーン５４を有するバルーンカテーテル５２がコア部品８上を前進している。バルーン５４を用いて、脈管狭窄部を開口させることもできるし、または、フィルタ部品３２が展開および／または回復している間に身体通路を通過する流体フローを遮断することもできる。バルーンカテーテル５２の前進時に近位セクション５１上に強化部品（図示せず）を設けると、コア部品８の近位セクション５１のコラム強度において有利である。コア部品８の遠位部の断面サイズを近位部の断面サイズよりも大きくすると、フィルタ部品６を支持し、拡張可能部品６に張力が加わったときに生じるコア部品８の座屈を阻止することができる。
【００２１】
図３および図４を参照して、別のフィルタデバイス２Ａが図示されている。図３および図４において、同じ参照符号または同様の参照符号は、同じかまたは同様の構造を指す。フィルタ部品３２はコア部品８に取り付けられ、拡張可能部品６は、コア部品８の周囲を延びるスリーブ２３に取り付けられている。スリーブ２３を引っ張ると、拡張可能部品６が収縮し、スリーブ２３を前進させると、張力が低下して、拡張可能部品６は拡張する。スリーブ２３をさらに前進させて、拡張可能部品６を圧縮させてさらに拡張させることもできる。フィルタデバイス２Ａは、フィルタデバイス２と実質的に同じ方式で用いられる。
【００２２】
図９および図１０を参照して、別のフィルタデバイス２Ｂが図示されている。図９および図１０において、同じ参照符号または同様の参照符号は、同じかまたは同様の構造を指す。デバイス２Ｂは、外装６０内に収容される拡張可能部品６を有する。この外装６０により、この拡張可能部品６は収縮位置に保持される。フィルタ部品６２は、上記にて説明したフィルタ部品のうち任意のものかまたは他の任意の適切なフィルタ部品であればよく、外装６０の周囲に配置された近位端６４を有する。フィルタ部品６２は、収縮位置に向かってバイアスがかけられ、また、フィルタ部品６２を収縮位置に保持するためのリング１７を有し得る。フィルタデバイス２Ｂは、収縮位置に前進する。フィルタが展開可能状態になると、外装６０を後退させるかまたは拡張可能部品６を前進させて、コイル６０を自由に用いてフィルタ部品６２を拡張させることが可能となる。
【００２３】
上記の記載は本発明の好適な実施形態を網羅的に説明したものであるが、本発明について、本明細書中の特許請求の範囲に規定された本発明の範囲から逸脱しない範囲で、様々な改変例、代替例および変更例があり得る。例えば、フィルタデバイスは他の形状およびサイズとされ、フィルタデバイスは、脈管系以外の任意の身体部分にも用いることができる。さらに、本フィルタデバイスについては流体フローのフィルタリングと関連付けながら説明をしたが、他にも様々なメカニズムのフィルタ展開構造を用いて、フィルタリングデバイス以外の閉塞（ｏｃｃｌｕｄｉｎｇ）デバイスとすることが可能である。従って、本発明の範囲から逸脱することなく、フィルタを作動させるための機械作動型メカニズムを用いて、閉塞（ｏｃｃｌｕｄｉｎｇ）デバイス構造を作動させることが可能である。
【図面の簡単な説明】
【図１】
図１は、フィルタデバイスが収縮位置にある様子を示す。
【図２】
図２は、図１のフィルタデバイスが拡張位置にある様子を示す。
【図３】
図３は、別のフィルタデバイスが収縮位置にある様子を示す。
【図４】
図４は、図３のフィルタデバイスが拡張位置にある様子を示す。
【図５】
図５は、メッシュ状の構造を有するフィルタデバイスが収縮位置にある様子を示す。
【図６】
図６は、図５のフィルタデバイスが拡張位置にある様子を示す。
【図７】
図７は、バルーンカテーテルがフィルタデバイス上を前進する様子を示す。
【図８】
図８は、コイルが緊密に配置された拡張可能部材を有するフィルタデバイスを示す。
【図９】
図９は、別のフィルタデバイスが収縮位置にある様子を示す。
【図１０】
図１０は、図９のフィルタデバイスが拡張位置にある様子を示す。
【国際公開パンフレット】
2004515255.tif 000003
2004515255.tif 000004
2004515255.tif 000005
2004515255.tif 000006
2004515255.tif 000007
2004515255.tif 000008
2004515255.tif 000009
2004515255.tif 000010
2004515255.tif 000011
2004515255.tif 000012
2004515255.tif 000013
2004515255.tif 000014
2004515255.tif 000015
2004515255.tif 000016
2004515255.tif 000017
2004515255.tif 000018
2004515255.tif 000019
2004515255.tif 000020
2004515255.tif 000021
【手続補正書】
【提出日】平成13年6月4日(2001.6.4)
【手続補正１】
【補正対象書類名】図面
【補正対象項目名】図１
【補正方法】追加
【補正の内容】
【図１】
2004515255.tif 000022
【手続補正２】
【補正対象書類名】図面
【補正対象項目名】図２
【補正方法】追加
【補正の内容】
【図２】
2004515255.tif 000023
【国際調査報告】
2004515255.tif 000024
2004515255.tif 000025